(57)【要約】【課題】部品点数が少なく構造を簡素化することができ、また高い寸法精度が要求されず円滑に操作することができてがたつきおよび雑音の発生を軽減防止し得るようにしたストレイナー装置を提供する。【解決手段】スナッピー張設部材３３と、このスナッピー張設部材３３を胴本体２の外周面に固定する固定ベース３４とで第１のストレイナー３０を構成する。スナッピー張設部材３３は、スナッピー８の端部に設けられているスナッピー連結部材１３を保持する保持部材３５と、前記固定ベース３４と連結する連結部材３６と、この連結部材３６の両端にそれぞれ設けられた一対のアーム部材３７Ａ，３７Ｂと、アーム部材３７Ａ，３７Ｂに設けられたレバー部材４０Ａ，４０Ｂと、これらのレバー部材４０Ａ，４０Ｂ間に横架されスナッピー連結部材１３の中間部を支持する張設ロッド４５と、スナッピー連結部材１３の張力を調節する手段５２と、張設ロッド４５の高さを調節する手段６２とで構成されている。【選択図】  図２
2005227660.tif 000002
【特許請求の範囲】
【請求項１】
ドラムの胴本体の外周面の互いに対向する位置に取付けられた第１、第２のストレイナーによってスナッピーをドラムヘッドに対して選択的に接触離間させるストレイナー装置において、
前記第１のストレイナーは、前記スナッピーの端部に設けられているスナッピー連結部材を保持する保持部材と、前記スナッピー連結部材の中間部を支持する位置に移動可能に設けられた張設ロッドとを有し、
前記張設ロッドを移動させることにより前記スナッピーを前記ドラムヘッドに対して選択的に接触離間させることを特徴とするストレイナー装置。
【請求項２】
請求項１記載のストレイナー装置において、
前記第１のストレイナーは、
前記張設ロッドを設けたスナッピー張設部材と、前記スナッピー張設部材を前記胴本体の外周面に固定する固定ベースとからなり、
前記固定ベースは、前記スナッピー張設部材を移動させることにより前記張設ロッドの上下高さを調節する手段を備えていることを特徴とするストレイナー装置。
【請求項３】
請求項１または２記載のストレイナー装置において、
前記第１のストレイナーの保持部材にスナッピーの張力を調節する張力調節手段を設けたことを特徴とするストレイナー装置。
【請求項４】
請求項１，２，３のうちのいずれか１つに記載のストレイナー装置において、
前記第１のストレイナーは、スナッピー張設部材と、前記胴本体の外周面に前記スナッピー張設部材を固定する固定ベースとからなり、
前記スナッピー張設部材は、前記スナッピーの端部に設けられているスナッピー連結部材を保持する保持部材と、前記固定ベースと連結する連結部材と、前記連結部材の両端から延在する一対のアーム部材を備え、
前記各アーム部材に、前記スナッピー連結部材の中間部を支持する張設ロッドを架け渡したレバー部材を前記アーム部材に設けた回転軸を中心に回動可能に取付け、
前記レバー部材を回動させることによって前記スナッピーを前記ドラムヘッドに対して選択的に接触離間させることを特徴とするストレイナー装置。
【発明の詳細な説明】
【技術分野】
【０００１】
本発明は、スナッピーをドラムヘッドに対して選択的に接触離間させるストレイナー装置に関するものである。
【背景技術】
【０００２】
スネアードラムは、複数本の細い響線で構成されたスナッピーをストレイナー装置によって非打面側、すなわち裏面側ドラムヘッドまたは打面側（表面側）ドラムヘッドと裏面側ドラムヘッドの双方に対して選択的に接触離間させることにより、ドラムヘッドの振動を響線に伝えて楽器に特有なパラパラという軽快な音色をもたらす、いわゆるタブリング効果と称する特殊音響効果を得るようにしている（例えば、特許文献１，２，３参照）。
【特許文献１】実公昭５８−５０３７２号公報
【特許文献２】米国特許明細書第６００８４４５号
【特許文献３】米国特許明細書第５８４４１５７号
【０００３】
図１０は裏面側のドラムヘッドに対して従来のスナッピーを装着したスネアードラムを示す外観斜視図、図１１は同ドラムの表面側ドラムヘッドを示す外観斜視図である。これらの図において、１はスネアドラム、２は両端が開放した円筒状の胴本体、３は胴本体２の裏面側開口部を覆う裏面側ドラムヘッド、４は同じく胴本体２の表面側開口部を覆う表面側ドラムヘッド、５は胴本体２の各開口端部に嵌装されたフープ（締枠）、６はラグ、７はフープ５とラグ６を連結する締めボルト、８は裏面側ドラムヘッド３に対して取付けられるスナッピー、９はスナッピー８の可動側端部８Ａを保持する第１のストレイナー、１０はスナッピー８の固定側端部８Ｂを保持する第２のストレイナーで、これら両ストレイナー９，１０によってストレイナー装置を構成している。
【０００４】
前記スナッピー８は、長手方向と直交する方向に所定の間隔を保って並設された複数本の細い響線１１と、これら響線１１の各端部がそれぞれ半田付けによって固定された左右一対のスナッピープレート１２と、各スナッピープレート１２にそれぞれ取付けられた可撓性を有するスナッピー連結部材１３とで構成されている。スナッピー連結部材１３はベルトからなり、前記第１のストレイナー９と第２のストレイナー１０に対してそれぞれ押圧プレート１４，２６によって押圧され着脱可能に固定されている。なお、左右のスナッピープレート１２は、響線１１とともに裏面側ドラムヘッド３に接触するようにフープ５の内側に位置しており、このようなスナッピーについては以下の説明においては内面当たりタイプのスナッピーと称し、響線１１の端部とスナッピープレート１２がフープ５より外側に延在しているタイプについては全面当たりタイプのスナッピーと称する。
【０００５】
前記第１のストレイナー９は、スナッピー８の可動端部８Ａを裏面側ドラムヘッド３に対して選択的に接触離間させるもので、胴本体２の外周面に固定された固定ベース１５と、この固定ベース１５に対して進退（上下）移動自在（図１１矢印Ａ，Ｂ方向）に取付けられた移動ベース１６と、この移動ベース１６を前記固定ベース１５に対して進退移動させ前記スナッピー８の可動側端部８Ａを裏面側ドラムヘッド３に対して接触または離間させるスイッチ機構１７と、前記移動ベース１６を同じく前記固定ベース１５に対して進退移動させ前記スナッピー８の張力を微調節する張力調節ねじ１８等で構成されている。前記押圧板１４は、前記移動ベース１６とともに前記スナッピー連結部材１３を挟持し、２本の締付け角ボルト１９によって移動ベース１６に固定されている。
【０００６】
前記スイッチ機構１７は、操作レバー２０と、この操作レバー２０の回動をリンクまたはカムによって直線運動に変換して前記移動ベース１６に伝達するように構成されている。操作レバー２０の操作方向としては、図１１に示すように胴本体２の周方向（矢印Ｃ，Ｄ方向）に操作するタイプと、図１２に示すように胴本体２の径方向（矢印Ｅ，Ｆ方向）に操作するタイプの２種類が一般的である。
【０００７】
図１０において、前記第２のストレイナー１０は、胴本体２の外周面に固定された固定ベース２３と、この固定ベース２３に対して進退移動自在に取付けられた移動ベース２４と、この移動ベース２４を進退させスナッピー８の張力を微調節する張力調節ねじ２５とを備え、前記移動ベース２４と押圧板２６とによってスナップー８の固定側端部８Ｂのスナッピー連結部材１３を挟持している。
【０００８】
このような第１、第２のストレイナー９，１０からなるストレイナー装置において、スナッピー８を使用しないで演奏するときは、第１のストレイナー９のスイッチ機構１７によって移動ベース１６を前進（図１１の矢印Ａ方向）させることにより、スナッピー８の響線１１の張力を緩めて響線１１とスナッピープレート１２を裏面側ドラムヘッド３から離間させておく。一方、使用時には移動ベース１６を後退（図１１の矢印Ｂ方向）させてスナッピー連結部材１３を引っ張り、響線１１の張力を大きくすることにより裏面側ドラムヘッド３の表面に響線１１とスナッピープレート１２を接触させる。したがって、この接触状態で表面側ドラムヘッド４を打撃すると、その振動が裏面側ドラムヘッド３を介して響線１１に伝達されるため、響線１１も振動して楽器に特有なパラパラという軽快な音色の特殊音響効果が得られる。
【発明の開示】
【発明が解決しようとする課題】
【０００９】
しかしながら、上記した従来の第１のストレイナー９は、スナッピー連結部材１３が移動ベース１６上に固定されているため、スナッピー８の接離のために移動ベース１６を移動させる機構が必要であって、操作レバー２０の回動運動をリンクまたはカムによって直線運動に変換して移動ベース１６に伝達するようにしているため、固定ベース１５と移動ベース１６とのスライド部分に円滑なスライドを可能にするために適宜なクリアランスを設ける必要があり、そのため、スライドさせたりドラム演奏時に移動ベース１６ががたつき雑音が発生し易いという問題があった。
そこで、クリアランスを最小にして移動ベース１６のがたつきを防止するようにすると、厳しい寸法公差が要求されるため製造コストが高くなったり、スライド時の摩擦が大きくなり移動ベース１６を円滑に動作させることができなくなるという問題が生じる。
【００１０】
本発明は上記した従来の問題を解決するためになされたもので、その目的とするところは、部品点数を削減し構造を簡素化するとともに、高い寸法精度が要求されず円滑に操作することができてがたつきおよび雑音の発生を軽減防止し得るようにしたストレイナー装置を提供することにある。
【課題を解決するための手段】
【００１１】
上記目的を達成するために第１の発明は、ドラムの胴本体の外周面の互いに対向する位置に取付けられた第１、第２のストレイナーによってスナッピーをドラムヘッドに対して選択的に接触離間させるストレイナー装置において、前記第１のストレイナーは、前記スナッピーの端部に設けられているスナッピー連結部材を保持する保持部材と、前記スナッピー連結部材の中間部を支持する位置に移動可能に設けられた張設ロッドとを有し、前記張設ロッドを移動させることにより前記スナッピーを前記ドラムヘッドに対して選択的に接触離間させるものである。
【００１２】
第２の発明は、前記第１の発明において、前記第１のストレイナーは、前記張設ロッドを設けたスナッピー張設部材と、前記スナッピー張設部材を前記胴本体の外周面に固定する固定ベースとからなり、前記固定ベースは、前記スナッピー張設部材を移動させることにより前記張設ロッドの上下高さを調節する手段を備えているものである。
【００１３】
第３の発明は、前記第１または第２の発明において、前記第１のストレイナーの保持部材にスナッピーの張力を調節する張力調節手段を設けたものである。
【００１４】
第４の発明は、前記第１、第２、第３の発明のうちのいずれか１つにおいて、前記第１のストレイナーは、スナッピー張設部材と、前記胴本体の外周面に前記スナッピー張設部材を固定する固定ベースとからなり、前記スナッピー張設部材は、前記スナッピーの端部に設けられているスナッピー連結部材を保持する保持部材と、前記固定ベースと連結する連結部材と、前記連結部材の両端から延在する一対のアーム部材を備え、前記各アーム部材に、前記スナッピー連結部材の中間部を支持する張設ロッドを架け渡したレバー部材を前記アーム部材に設けた回転軸を中心に回動可能に取付け、前記レバー部材を回動させることによって前記スナッピーを前記ドラムヘッドに対して選択的に接触離間させるものである。
【発明の効果】
【００１５】
第１の発明においては、張設ロッドを移動させるとスナッピーをドラムヘッドに対して選択的に接触離間させることができる。張設ロッドの移動は、スナッピーを裏面側のドラムヘッドに装着したとき緊張、弛緩の切替えができればよいので、簡単な移動機構を採用することができる。例えば、レバー部材の回動によるものや、斜面に沿ってスライド移動させるものであったり、水平移動させるものであってもよい。しがって、構造の簡素化と部品点数の削減を可能にし、また、がたつきや雑音の発生も軽減することができる。
第２の発明においては、スナッピーをドラムヘッドに当てた状態で張設ロッドの上下高さを調節することができる。
第３の発明においては、張力調節手段によりスナッピーの張力を調節することができる。
第４の発明においては、レバー部材を回動させることにより、張設ロッドがアーム部材の回転軸中心に回転することで、ドラムヘッドに対して上下動し、スナッピーをドラムヘッドに対して選択的に接触離間させる。
【発明を実施するための最良の形態】
【００１６】
以下、本発明を図面に示す実施の形態に基づいて詳細に説明する。
図１はスナッピーを裏面側ドラムヘッドに接触させたＯＮ状態における第１のストレイナーの正面図、図２は同第１のストレイナーのＯＮ状態における側断面図、図３は同第１のストレイナーのＯＮ状態における拡大右側面図、図４は同第１のストレイナーのＯＮ状態における拡大背面図、図５はスナッピーを裏面側ドラムヘッドに接触させたＯＮ状態における第１のストレイナーの要部の拡大図、図６はスナッピーを裏面側ドラムヘッドから離間させたＯＦＦ状態における第１のストレイナーの側断面図、図７は同じくスナッピーを裏面側ドラムヘッドに接触させたＯＮ状態における第２のストレイナーの側断面図である。なお、従来技術の欄で示した構成部品と同一のものについては同一符号をもって示し、その説明を適宜省略する。
【００１７】
図１〜図７において、スネアドラム１の胴本体２の外周面で互いに対向する位置には、第１のストレイナー３０と第２のストレイナー３１が取付けられており、これらのストレイナー３０，３１によってスナッピー８を裏面側ドラムヘッド３に対して選択的に接触離間させるストレイナー装置を構成している。
【００１８】
前記スナッピー８は、長手方向と直交する方向に所定の間隔を保って並設された複数本の細い響線１１と、これら響線１１の各端部がそれぞれ半田付けによって固定された左右一対のスナッピープレート１２と、各スナッピープレート１２にそれぞれ取付けられたワイヤまたは紐からなるスナッピー連結部材１３とで構成されている。また、スナッピー８は、前記響線１１の各端部とスナッピープレート１２がフープ５の外側に引き出されることにより、全面当たりタイプのスナッピーを構成しており、各スナッピー連結部材１３が前記第１のストレイナー３０と第２のストレイナー３１の後述する保持部材３５，７３によってそれぞれ保持されている。
【００１９】
図１〜図６において、前記第１のストレイナー３０は、スナッピー張設部材３３と、このスナッピー張設部材３３を前記胴本体２の外周面に固定する固定ベース３４とを備えている。
【００２０】
前記スナッピー張設部材３３は、前記スナッピー８の一端側に設けられている前記スナッピー連結部材１３を保持する保持部材３５と、前記固定ベース３３に連結される連結部材３６（図４）と、この連結部材３６の両側端面にそれぞれ固定された左右一対のアーム部材３７Ａ，３７Ｂとで構成されている。
【００２１】
前記保持部材３５は、積層されて前記スナッピー連結部材１３の端部を挟持し、止めねじ３８によって一体的に結合される第１、第２の保持部材３５Ａ，３５Ｂによって構成されている。
【００２２】
前記連結部材３６は、ブロック状に形成されて中央に上下面に貫通するねじ孔が形成されており、前記固定ベース３４に高さ調節ねじ６２により上下移動可能に取付けられている。
【００２３】
前記左右一対のアーム部材３７Ａ，３７Ｂは、左右対称な形状に形成されて前端部が前記連結部材３６の各側端面に複数個の止めねじ３９によって固定されている。また、一対のアーム部材３７Ａ，３７Ｂには、左右一対からなるレバー部材４０Ａ，４０Ｂが回動可能に取付けられている。各アーム部材３７Ａ，３７Ｂの後端で胴本体２と対向する面とは反対側の面には、胴本体２に対して所要の角度で傾斜する斜面４３がそれぞれ形成されている。
【００２４】
前記一対のレバー部材４０Ａ，４０Ｂのうち図１において左側のレバー部材４０Ａは、右側のレバー部材４０Ｂよりも短く形成されて前端が前記アーム部材３７Ａの後端部に回転軸４１Ａによって回動自在に枢支されている。一方、右側のレバー部材４０Ｂは、左側のレバー部材４０Ａよりも十分に長く形成されて前端側が前記固定ベース３４の前方に延在し、前端に摘み４２が固定されることにより、前記スナッピー８を裏面側ドラムヘッド３に対して選択的に接触離間させる切替レバー（以下、切替レバー４０Ｂともいう）を形成している。また、この切替レバー４０Ｂは、図３に示すように回転軸４１Ｂを中心に側面視Ｌ字状に形成されることにより、後端部が胴本体２に対して傾斜するとともに胴本体２から離間する方向に延在し、その屈曲部の中心が前記アーム部材３７Ｂの後端部に回転軸４１Ｂによって回動自在に軸支されている。前記回転軸４１Ａと回転軸４１Ｂの軸線は一致している。
【００２５】
また、一対のレバー部材４０Ａ，４０Ｂの後端間には、前記スナッピー連結部材１３の中間部を支持する張設ロッド４５が架け渡されている。この張設ロッド４５は、スナッピー８が裏面側ドラムヘッド３に接触したＯＮ状態において、図５に示すように前記一対のアーム部材３７Ａ，３７Ｂの斜面４３の前端部に接触している。この状態において、スナッピー連結部材１３の張力の合力ベクトルＦは、レバー部材４０Ａの軸線よりも上向きになっているので、切替レバー４０ＢはＯＮ状態に維持される。一方、裏面側ドラムヘッド３からスナッピー８を離間させたＯＦＦ状態においては、張設ロッド４５は図６に示すように若干下降して胴本体２に接近し、前記斜面４３の後端部に接触する。すなわち、アーム部材３７Ａ，３７Ｂの斜面４３の前端部と後端部は、張設ロッド４５をＯＮ位置とＯＦＦ位置に停止させるストッパとして機能するものである。張設ロッド４５の両端部付近で前記一対アーム部材３７Ａ，３７Ｂの斜面４３に接触する箇所には、雑音の発生を防止するためにＯリング４６（図１）がそれぞれ嵌着されている。なお、切替レバー４０Ｂの代わりに張設ロッド４５をアーム部材３７Ｂの外側まで延長し、この延長部を切替摘み部材としてもよい。
【００２６】
前記一対のアーム部材３７Ａ，３７Ｂの前端には外側に折り曲げ形成された取付部４８（図４）がそれぞれ設けられており、これらの取付部４８上にＬ字型に折り曲げ形成されたブラケット５０が一対の止めねじ５１によって固定されている。また、ブラケット５０の上面には前記保持部材３５が設置され、この保持部材３５と前記ブラケット５０を張力調節手段５２によって連結している。張力調節手段５２は、前記スナッピー連結部材１３の張力を調節する手段であって、摘み付きのねじからなり、前記ブラケット５０の前端に設けた立上壁５０ａに回転自在にかつ進退不能に挿通され、前記第１の保持部材３５Ａの中央に設けたねじ穴に螺合している。したがって、張力調節手段５２を回転させると、第１の保持部材３５Ａ、言い換えれば保持部材３５はブラケット５０の上面に沿って前進または後退し、これによってスナッピー８を裏面側ドラムヘッド３に対してセットしたままの状態でスナッピー８を長さ方向に伸縮させることになるので、スナッピー８の響線１１の張力が調節される。
【００２７】
前記固定ベース３４は、金属板の折り曲げ加工によって左右両側面が開放する側面視コ字状またはロ字状の固定部材６０と、この固定部材６０を胴本体２の外周面に固定する複数本の止めねじ６１と、前記連結部材３６を前記固定部材６０に連結する高さ調節手段６２とで構成されている。高さ調節手段６２は、前記張設ロッド４５の上下高さを調節する手段であって、前記張力調節手段５２と同様に摘み付きのねじからなり、前記固定部材６０の上下面に形成した挿通孔に回転自在にかつ進退不能に挿通され、前記連結部材３６に形成したねじ孔を螺合貫通している。したがって、高さ調節手段６２を回転させると、連結部材３６は、高さ調節手段６２に沿って前方または後方に移動し、これによってスナッピー８を裏面側ドラムヘッド３に対してセットした状態の張設ロッド４５の裏面側ドラムヘッド３に対する高さが調節される。
【００２８】
図７において、前記第２のストレイナー３１は、第１のストレイナー３０と同様にスナッピー張設部材７０と、このスナッピー張設部材７０を前記胴本体２の外周面に固定する固定ベース７１とを備えている。
【００２９】
前記スナッピー張設部材７０は、前記スナッピー８の他端側に設けられているスナッピー連結部材１３を保持する保持部材７３と、前記固定ベース７１に連結される連結部材７４と、この連結部材７４の両側端面にそれぞれ固定された左右一対のアーム部材７５等で構成されている。
【００３０】
前記保持部材７３は、積層されて前記スナッピー連結部材１３の端部を挟持し、止めねじ７６によって一体的に結合される第１、第２の保持部材７３Ａ，７３Ｂによって構成されている。
【００３１】
前記連結部材７４は、ブロック状に形成されて中央に上下面に貫通するねじ孔が形成されており、前記固定ベース３３に上下移動可能に取付けられている。連結部材７４の上面にはブラケット７６が固定されており、このブラケット７６上に前記保持部材７３が上下方向に移動自在に設置され、前記スナッピー連結部材１３の張力を調節する手段（以下、張力調節手段という）７７によって前記ブラケット７６に連結されている。
【００３２】
前記張力調節手段７７は、つまみ付きのねじからなり、前記ブラケット７６の前端に設けた立上壁７６ａに回転自在にかつ進退不能に取付けられ、前記第１の保持部材７３Ａの中央に設けたねじ穴に螺合している。したがって、張力調節手段７７を回転させると、第１の保持部材７３Ａ、言い換えれば保持部材７３はブラケット７６の上面に沿って前進または後退し、これによってスナッピー８を裏面側ドラムヘッド３に対してセットしたままの状態でスナッピー８の張力、言い換えればスナッピー８の響線１１の張力が調節される。
【００３３】
前記左右一対のアーム部材７５は、左右対称な側面視への字状に形成され、前端部が前記連結部材７４の各側端面に複数個の止めねじ８０によってそれぞれ固定され、後端部が胴本体２に対して所要角度で交差するように胴本体２から離間する方向に延在している。また、一対のアーム部材７５の後端間には前記スナッピー連結部材１３の中間部を支持する張設ロッド８１が横架されている。
【００３４】
前記固定ベース７１は、金属板の折り曲げ加工によって左右両側面が開放する側面視コ字状またはロ字状の固定部材９０と、この固定部材９０を胴本体２の外周面に固定する複数本の止めねじ９１と、前記連結部材７４を前記固定部材９０に連結する高さ調節手段９２とで構成されている。高さ調節手段９２は、前記張設ロッド８１の上下高さを調節する手段であって、前記張力調節手段７７と同様に摘み付きのねじからなり、前記固定部材９０の上下面に形成した挿通孔に回転自在にかつ進退不能に挿通され、前記連結部材７４に形成したねじ孔を螺合貫通している。したがって、高さ調節手段９２を回転させると、連結部材７４は、高さ調節手段９２に沿って前進または後退し、これによってスナッピー８を裏面側ドラムヘッド３に対してセットした状態の連結ロッド８１の裏面側ドラムヘッド３に対する高さが調節される。
【００３５】
このような第２のストレイナー３１は、スナッピー８を裏面側ドラムヘッド３に対して選択的に接触離間させるためのレバー部材を備えていない点、このため第２の張設ロッド８１を左右一対のアーム部材７５の後端間に横架している点が、前記第１のストレイナー３０と異なるだけで、その他の構成は略同一である。
【００３６】
このような構造からなる第１、第２のストレーナー３０，３１を備えたストレイナー装置において、スナッピー８をスネアドラム１の裏面側ドラムヘッド３に対して接触させないで演奏するときは、第１のストレイナー３０の切替レバー４０Ｂを図２示す略垂直な状態から図６に実線で示すように時計方向に所定角度回動させて胴本体２に対して傾ける。切替レバー４０Ｂを時計方向に所定角度回動させると、第１の張設ロッド４５は下降して胴本体２に接近しスナッピー連結部材１３を緊張状態から解放し、アーム部材３７Ａ，３７Ｂの斜面４３の後端側に接触する。その結果、スナッピー８は、緊張状態から解放されて自重により下降することにより、裏面側ドラムヘッド３から離間し、もってＯＦＦ状態（スナッピー８を使用しない演奏状態）に切り替えられる。
【００３７】
スナッピー８を裏面側ドラムヘッド３から離間させたＯＦＦ状態から切替レバー４０Ｂを反時計方向に回動させて再び図２に実線で示す位置に復帰させると、第１の張設ロッド４５が胴本体２から遠のく方向に回動してスナッピー連結部材１３を緊張させる。このため、スナッピー８は、緊張されて響線１１の張力が増大するとともに、引き上げられて裏面側ドラムヘッド３に接触し、もってＯＮ状態（スナッピー８を使用する演奏状態）に切り替えられる。
【００３８】
スナッピー８の張力（響線１１の張力）を微調節する際には、第１、第２のストレイナー３０，３１の張力調節ねじ５２，７７を手で回して調節すればよい。すなわち、張力調節ねじ５２，７７を締付け方向に回転操作して保持部材３５，７３を前進させると、スナッピー連結部材１３が引き上げられるため、響線１１の張力は増大する。反対に、張力調節ねじ５２，７７を緩み方向に回転操作して保持部材３５，７３を後退させると、スナッピー連結部材１３が引き下げられるため、響線１１の張力は減少する。
【００３９】
裏面側ドラムヘッド３に対するスナッピー８の接触具合を微調節する際には、高さ調節ねじ６２，９２を手で回してアーム部材３７Ａ，３７Ｂ、７５をそれぞれ進退させればよい。すなわち、高さ調節ねじ６２，９２を締付け方向に回転操作してアーム部材３７Ａ，３７Ｂ、７５を前進させると、アーム部材３７Ａ，３７Ｂに連結したレバー部材４０Ａ，４０Ｂに架設した張設ロッド４５が上下動するため、裏面側ドラムヘッド３とスナッピー高さの距離が小さくなる、すなわち接触が大きくなる。反対に、第１、第２の高さ調節ねじ６２，９２を緩み方向に回転操作してアーム部材３７Ａ，３７Ｂ、７５を後退させると、張設ロッド４５が引き下げられてスナッピ８と裏面側ドラムヘッド３の距離が大きくなるため、裏面側ドラムヘッド３に対して響線１１をより弱く接触させることができる。
【００４０】
このように、本発明においては、切替レバー４０Ｂをアーム部材３７Ｂに回動自在に取付、一対のレバー部材４０Ａ，４０Ｂ間に架け渡した張設ロッド４５によってスナッピー連結部材１３の中間部を支持しているので、スイッチ機構の構造が簡単で部品点数を削減でき、切替レバー４０Ｂのがたつきや雑音の発生を軽減防止することができる。
【００４１】
また、内面当たりタイプと全面当たりタイプのスナッピー８に対して共通に適用することができる。
【００４２】
さらに、張設ロッド４５は、切替レバー４０Ｂの回動運動と同じ方向の回動によってスナッピー８をＯＮ、ＯＦＦさせることができるため、移動方向変換機構が不要で、動きも自然でがたついたり、雑音が発生することもない。
【００４３】
図８は第１のストレイナーの他の実施の形態を示すＯＮ状態の側面図、図９は同ストレイナーのＯＦＦ状態の側面図である。
この実施の形態は、張設ロッド４５を水平方向（胴本体２の軸線と直交する方向）に直線移動させることにより、スナッピー８を裏面側ドラムヘッド３に対して選択的に接触離間させるように構成したものである。このため、一対のアーム部材３７Ａ，３７Ｂ（３７Ｂは図示せず）は、後端部に胴本体２の軸線と直交する方向に形成された長孔７０をそれぞれ有し、これらの長孔７０に前記張設ロッド４５の端部をそれぞれ挿入することにより、張設ロッド４５を前記長孔７０に沿って直線移動自在に支持している。また、アーム部材３７Ａ，３７Ｂには、一対のレバー部材４０Ａ，４０Ｂを回転軸４１Ａ，４１Ｂに軸支して回動自在に取付けている。レバー部材４０Ａ，４０Ｂのドラム側とは反対側端面７１は、張設ロッド４５を押圧する押圧面をそれぞれ形成している。一方、他方のレバー部材である切替レバー４０Ｂは、スナッピー８を緊張させて裏面側ドラムヘッド３に接触させたＯＮ状態において、胴本体２に取付けたロック部材７２によって摘み４２がロックされることにより、胴本体２と略平行な状態に保持されている。このＯＮ状態において、張設ロッド４５はレバー部材４０Ａによって図８において右方に押圧移動され、長孔７０のドラム側とは反対側の終端壁に押し付けられることにより、スナッピー連結部材１３を緊張させている。図９に示すようにロック部材７２による摘み４２のロック状態を解除して切替レバー４０Ｂを時計方向に回動させると、レバー部材４０Ａも切替レバー４０Ｂと一体に回動して張設ロッド４５を押圧状態から解放する。このため、張設ロッド４５は、スナッピー８の張力により長孔７０に沿ってドラム方向に直線移動し、長孔７０のドラム側終端壁に押し付けられ、これによってスナッピ８が緩み、裏面側ドラムヘッド３から離間してＯＦＦ状態に切り替えられる。長孔７０の各終端壁は、張設ロッド４５をＯＮ位置とＯＦＦ位置に停止させるストッパを形成している。その他の構造は図１〜図６に示した実施の形態と同一であるため、同一構成部材については同一符号をもって示し、その説明を省略する。なお、切替レバー４０Ｂの代わりに張設ロッド４５を延長してその延長部を摘みとし、直接張設ロッド４５を水平に動かしてもよく、また長孔７０のドラム側とは反対側の終端をＬ字状に曲げておき、この折曲部によって張設ロッド４５をＯＮ位置にロックするようにすると、前記ロック部材７２が不要になる。
【００４４】
なお、上記した実施の形態は、スナッピー８の各端部に設けられる可撓性のスナッピー連結部材１３として紐またはワイヤを用いた例について説明したが、本発明はこれに何ら限定されるものではなく、図１０〜図１２に示した従来のスナッピーと同様に適宜な幅を有するベルトを用いてもよい。
また、張設ロッド４５の移動機構としては、上記した実施の形態に限らず種々の変更が可能であり、例えば、傾斜面に沿ってスライド移動させるようにしたものであってもよい。
【図面の簡単な説明】
【００４５】
【図１】スナッピーを裏面側ドラムヘッドに接触させたＯＮ状態における第１のストレイナーの正面図である。
【図２】同第１のストレイナーのＯＮ状態における側断面図である。
【図３】同第１のストレイナーのＯＮ状態における拡大右側面図である。
【図４】同第１のストレイナーのＯＮ状態における拡大背面図である。
【図５】スナッピーを裏面側ドラムヘッドに接触させたＯＮ状態における第１のストレイナーの要部の拡大図である。
【図６】スナッピーを裏面側ドラムヘッドから離間させたＯＦＦ状態における第１のストレイナーの側断面図である。
【図７】同じくスナッピーを裏面側ドラムヘッドに接触させたＯＮ状態における第２のストレイナーの側断面図である。
【図８】第１のストレイナーの他の実施の形態を示すＯＮ状態の側面図である。
【図９】同ストレイナーのＯＦＦ状態の側面図である。
【図１０】裏面側のドラムヘッドに対して従来のスナッピーを装着したスネアードラムを示す外観斜視図である。
【図１１】同ドラムの表面側ドラムヘッドを示す外観斜視図である。
【図１２】ストレイナーの他の従来例を示す斜視図である。
【符号の説明】
【００４６】
１…スネアドラム、２…胴本体、３…裏面側のドラムヘッド、８…スナッピー、９…第１のストレイナー、１０…第２のストレイナー、１１…響線、１２…スナッピープレート、１３…スナッピー連結部材、３０…第１のストレイナー、３１…第２のストレイナー、３３…スナッピー張設部材、３４…固定ベース、３５…保持部材、３６…連結部材、３７Ａ，３７Ｂ…アーム部材、４０Ａ，４０Ｂ…レバー部材、４１Ａ，４１Ｂ…回転軸、４２…張設ロッド、５２…張力調節手段、６０…固定部材、６２…高さ調節手段、７０…スナッピー張設部材、７１…固定ベース、７３…保持部材、７４…連結部材、７５…アーム部材、８１…張設ロッド、７７…張力調節手段、９０…固定部材、９２…高さ調節手段。
【図１】
2005227660.tif 000003
【図２】
2005227660.tif 000004
【図３】
2005227660.tif 000005
【図４】
2005227660.tif 000006
【図５】
2005227660.tif 000007
【図６】
2005227660.tif 000008
【図７】
2005227660.tif 000009
【図８】
2005227660.tif 000010
【図９】
2005227660.tif 000011
【図１０】
2005227660.tif 000012
【図１１】
2005227660.tif 000013
【図１２】
2005227660.tif 000014